(57)【要約】      （修正有）【課題】基板の検査時における作業性の向上を図ることが可能な遊技機を提供する。【解決手段】押圧操作が可能なベットボタンと、押圧操作が可能なストップボタンと、基板（３０）と、基板（３０）の一方の面（３０ａ）に取り付けられ、極性がないが取り付ける向きに応じて外観が異なる複数の同一の電子部品（Ｒ１〜Ｒ１１，Ｃ１〜Ｃ６）と、を備えた遊技機は、ベットボタンの動作に必要な力がストップボタンの動作に必要な力よりも大きく、複数の同一の電子部品（Ｒ１〜Ｒ１１，Ｃ１〜Ｃ６）が、同一の外観となるように基板（３０）に取り付けられている。【選択図】図４
2020062451.tif 000002
【特許請求の範囲】
【請求項１】
押圧操作が可能なベットボタンと、
押圧操作が可能なストップボタンと、
基板と、
前記基板の一方の面に取り付けられ、極性がないが取り付ける向きに応じて外観が異なる複数の同一の電子部品と、を備え、
前記ベットボタンの動作に必要な力は、前記ストップボタンの動作に必要な力よりも大きく、
前記複数の同一の電子部品は、互いに同一の外観となるように前記基板に取り付けられている、
ことを特徴とする遊技機。
【請求項２】
押圧操作が可能なベットボタンと、
押圧操作が可能なストップボタンと、
基板と、
前記基板の一方の面に取り付けられ、極性がないが取り付ける向きに応じて外観が異なる複数の同一の電子部品と、を備え、
前記ベットボタンの動作に必要な力は、前記ストップボタンの動作に必要な力と同一又は略同一であり、
前記複数の同一の電子部品は、互いに同一の外観となるように前記基板に取り付けられている、
ことを特徴とする遊技機。
【請求項３】
押圧操作が可能なベットボタンと、
押圧操作が可能な演出ボタンと、
基板と、
前記基板の一方の面に取り付けられ、極性がないが取り付ける向きに応じて外観が異なる複数の同一の電子部品と、を備え、
前記演出ボタンの動作に必要な力は、前記ベットボタンの動作に必要な力よりも大きく、
前記複数の同一の電子部品は、互いに同一の外観となるように前記基板に取り付けられている、
ことを特徴とする遊技機。
【発明の詳細な説明】
【技術分野】
【０００１】
本発明は、遊技機に関する。
【背景技術】
【０００２】
従来、各種電子部品が取付けられて、抽選や遊技価値の付与等に関する制御を実行する基板を備えるパチンコ機やスロットマシン等の遊技機が知られている。この種の遊技機において、上記電子部品を識別するための識別記号が付記された基板を備えたものが提案されている（特許文献１参照）。特許文献１に記載の遊技機は、基板の検査時において、作業者が基板上の識別記号を確認することにより、基板に取付けられている電子部品を識別可能に構成されている。
【先行技術文献】
【特許文献】
【０００３】
【特許文献１】特開平１１−７６５６４号公報
【発明の概要】
【発明が解決しようとする課題】
【０００４】
しかしながら、近年の遊技機の構造の複雑化に伴い、基板に取付けられている電子部品の数や種類が増大し、基板の検査時における作業性の向上が求められている。
【０００５】
そこで、本発明は、基板の検査時における作業性の向上を図ることができる遊技機を提供することを目的とするものである。
【課題を解決するための手段】
【０００６】
本発明は、押圧操作が可能なベットボタンと、
押圧操作が可能なストップボタンと、
基板と、
前記基板の一方の面に取り付けられ、極性がないが取り付ける向きに応じて外観が異なる複数の同一の電子部品と、を備え、
前記ベットボタンの動作に必要な力は、前記ストップボタンの動作に必要な力よりも大きく、
前記複数の同一の電子部品は、互いに同一の外観となるように前記基板に取り付けられている、ことを特徴とする。
【０００７】
また、本発明は、押圧操作が可能なベットボタンと、
押圧操作が可能なストップボタンと、
基板と、
前記基板の一方の面に取り付けられ、極性がないが取り付ける向きに応じて外観が異なる複数の同一の電子部品と、を備え、
前記ベットボタンの動作に必要な力は、前記ストップボタンの動作に必要な力と同一又は略同一であり、
前記複数の同一の電子部品は、互いに同一の外観となるように前記基板に取り付けられている、ことを特徴とする。
また、本発明は、押圧操作が可能なベットボタンと、
押圧操作が可能な演出ボタンと、
基板と、
前記基板の一方の面に取り付けられ、極性がないが取り付ける向きに応じて外観が異なる複数の同一の電子部品と、を備え、
前記演出ボタンの動作に必要な力は、前記ベットボタンの動作に必要な力よりも大きく、
前記複数の同一の電子部品は、互いに同一の外観となるように前記基板に取り付けられている、ことを特徴とする。
【発明の効果】
【０００８】
本発明によると、基板の検査時における作業性の向上を図ることができる。
【図面の簡単な説明】
【０００９】
【図１】本実施形態における遊技機の外観構成を示す斜視図である。
【図２】本実施形態におけるマックスベットボタンユニットを示す断面図である。
【図３】本実施形態における上部ランプユニットを前方から視た分解斜視図である。
【図４】本実施形態における主制御基板の正面図である。
【発明を実施するための形態】
【００１０】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、以下の説明において基本的に「前後」とは、遊技機の前側に遊技者が居る場合に、遊技者側が「前」で、遊技機側が「後」を意味し、「上下」とは遊技機の上面側が「上」で、下面側が「下」を意味し、「左右」とは遊技機で遊技する遊技者の左手側が「左」を意味し、右手側が「右」を意味する。
【００１１】
１．遊技機の全体構成
まず、本発明の実施の形態に係る遊技機としてのスロットマシン１の全体構成について図１及び図２に基づいて説明をする。本実施の形態に係るスロットマシン１は、いわゆる回胴式遊技機と呼ばれるもので、メダルなどの遊技媒体に対して一定の遊技価値を設定し、このような遊技媒体を用いて更なる遊技媒体を遊技者に付与可能な遊技を行う種類の遊技機である。図１に示すように、スロットマシン１は、６面体構造のうち遊技者に対向する前面が開口した筐体１０を備えていると共に、この開口した筐体１０の前面を開閉可能な前扉５０により被覆して構成されている。また、図２に示すように、筐体１０の内部には、複数の回転リールとしての第１リールＲＥ１〜第３リールＲＥ３を備えたリールユニットＲＥ、リールユニットＲＥの下部に配置されたメダルの払出装置としてのホッパーユニット２０、及びリールユニットＲＥの上部に配置され、遊技を実行するための各種の演算を行うと共にリールユニットＲＥやホッパーユニット２０の動作を制御する主制御基板３０が収められている。
【００１２】
第１リールＲＥ１〜第３リールＲＥ３は、それぞれの外周面が一定の間隔で２１の領域（以下、各領域を「コマ」と記載する）に区画されており、各コマにスロットマシン１の機種固有のデザインとして印刷される複数種類の図柄のいずれかが配列されている。また、第１リールＲＥ１〜第３リールＲＥ３は、それぞれ左右方向に延びるステッピングモータの軸周りに回転駆動され、リールを駆動させるアクチュエータとしてのステッピングモータの、駆動パルスのパルス数やパルス幅などを制御することによって、コマ単位（所定の回転角度単位、所定の回転量単位）で停止可能に設けられている。
【００１３】
前扉５０は、上扉ユニット５０Ｕと、下扉ユニット５０Ｌとに上下に分割して構成されており、上扉ユニット５０Ｕは、その中央部から上方部に亘って大型の液晶からなる表示装置５２が設けられていると共に、表示装置５２の下方には、バックライト基板と略平行となるように前方やや上向きとなるように起立して配置され、第１リールＲＥ１〜第３リールＲＥ３の回転状態及び停止状態を観察可能にする表示窓５１が設けられている。第１リールＲＥ１〜第３リールＲＥ３の停止状態では、第１リールＲＥ１〜第３リールＲＥ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００１４】
また、本実施形態のスロットマシン１では、各リールの上段・中段・下段の表示位置の組合せ（例えば中段１列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲＥ１〜第３リールＲＥ３の中段によって構成される有効ラインＬｆが有効化される。
【００１５】
前扉５０の下扉ユニット５０Ｌには、演出用の絵柄などを表示する下パネル５５が設けられていると共に、下パネル５５の上方には各種の操作手段が設けられている操作部６５が配置されている。操作部６５は、各種の操作手段と、各種の操作手段を支持する操作ベース６６と、を有して、スロットマシン１の左端部から右端部に亘って形成されている。操作部６５は、操作ベース６６の上面部６６ａに、操作手段として、クレジット（貯留）されたメダルを投入する操作を行うための投入操作手段としての、１枚のメダルを投入するシングルベットボタンＢＴ及び規定投入数のメダルを投入するマックスベットを実行するマックスベットボタンユニットＭＢなどが配置されており、操作ベース６６の前面部６６ｂに、操作手段として、第１リールＲＥ１〜第３リールＲＥ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲＥ１〜第３リールＲＥ３のそれぞれを停止させる契機となる停止操作を遊技者に実行させるための停止操作手段としてのストップボタンユニットＢ１〜ストップボタンユニットＢ３などが配置されている。
【００１６】
更に、下扉ユニット５０Ｌには、遊技者がメダルを投入するメダル投入口５６が設けられており、このメダル投入口５６から投入されたメダルは、下扉ユニット５０Ｌの裏側に設けられたセレクタ（不図示）によってカウントされてホッパーユニットへと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作又はマックスベットボタンユニットＭＢを押下する操作を行うことで、第１リールＲＥ１〜第３リールＲＥ３の回転制御を開始することが可能な準備状態にセットされる。そして、遊技者がスタートレバーＳＬを押下、つまり遊技者がスタートレバーＳＬに対して開始操作を実行すると、主制御基板３０（図２参照）において乱数値を用いた内部抽選が行われた後に第１リールＲＥ１〜第３リールＲＥ３をステッピングモータの駆動により回転開始させ、第１リールＲＥ１〜第３リールＲＥ３の回転速度が所定の速度まで上昇し定常回転になったことを条件に、ストップボタンユニットＢ１〜ストップボタンユニットＢ３の押下操作が許可、即ちストップボタンユニットＢ１〜ストップボタンユニットＢ３による停止操作が有効化される。
【００１７】
その後、遊技者が任意のタイミングでストップボタンユニットＢ１〜ストップボタンユニットＢ３を押下（以下、「押下タイミング」と記載）し、遊技者が任意のタイミングで押下状態にあるストップボタンユニットＢ１〜ストップボタンユニットＢ３を解放状態にすると、ストップボタンユニットＢ１〜ストップボタンユニットＢ３のそれぞれに対応するストップスイッチがオフ動作を行い、主制御基板３０へ出力するリール停止信号をオン状態からオフ状態に変化させる。
【００１８】
そして、主制御基板３０は、ストップボタンユニットＢ１〜ストップボタンユニットＢ３の押下タイミング及び解放タイミングに応じて信号状態が変化するリール停止信号のオフ状態からオン状態への変化に基づいて、内部抽選の結果に応じた停止位置で第１リールＲＥ１〜第３リールＲＥ３を停止させる。
【００１９】
また、主制御基板３０は、第１リールＲＥ１〜第３リールＲＥ３を停止させた後に、有効ラインＬｆ上に停止している図柄の組合せに応じて、各種処理を実行する。主制御基板３０が実行する各種処理としては、例えば、有効ラインＬｆ上に停止している図柄の組合せが複数種類の役のうちメダルの払い出しを伴う小役の図柄組合せである場合、即ち小役が入賞した場合に、入賞した小役に設定されている配当に基づきホッパーユニットからメダルを払い出す払出処理や、有効ラインＬｆ上に停止している図柄の組合せが遊技者にメダルを消費させることなく１回の遊技を実行可能にするリプレイの図柄組合せである場合に、今回の遊技における規定投入数のメダルを投入状態に設定するリプレイ処理等がある。
【００２０】
また、下扉ユニット５０Ｌの下部にはメダル受け皿６０が設けられており、遊技の結果に応じた枚数のメダルがメダル払出口からメダル受け皿６０へ払い出されるようになっている。更に、例えば、遊技機内にクレジットされたメダルが記憶されている状態で、精算ボタンが押下された場合、精算ボタンの押下に伴ってホッパーユニットからクレジット数（クレジットされたメダルの枚数）に相当する枚数のメダルを払い出す精算処理を実行し、メダル払出口からメダル受け皿６０へメダルを払い出す。
【００２１】
上扉ユニット５０Ｕは、正面視において上扉ユニット５０Ｕと略同じ大きさのベース部材５３を有している。ベース部材５３には、遊技を盛り上げるための音響装置（不図示）、スロットマシン１を装飾すると共に遊技の進行に応じて発光する演出を行う電飾装置７５，７６Ｌ，７６Ｒ，７７，７８、演出用の可動役物７１、及び上述した表示装置５２など、上扉ユニット５０Ｕを構成する複数の装飾部材や演出装置、演出装置を制御する副制御基板（不図示）等が支持されている。具体的には、表示装置５２の前面には、可動役物としてシャッタ装置７１が設けられており、遊技の進行に応じて左右のシャッタ（可動部材）７１Ｌ，７１Ｒを移動（開閉）させて表示装置５２の画面を遮蔽させたり露出させたりすることができるようになっている。
【００２２】
また、電飾装置として、表示装置５２の上方には上部ランプユニット７５が設けられていると共に、表示装置５２の左右側方には、サイドランプユニット７６Ｌ，７６Ｒが設けられている。更に、リールユニットＲＥの図柄を観察する表示窓５１の左右側方には、演出用の図柄を発光させるランプ装置７７及び演出時に発光したり遊技者が操作を行ったりする演出ボタンＳＢが設けられている。また、表示装置５２の下方には、ベース部材５３に固定されているナビランプユニット７８が設けられている。これら上部ランプユニット７５及びサイドランプユニット７６Ｌ，７６Ｒ及びナビランプユニット７８は、遊技に合わせて点灯して演出用の照明装置として機能したり、遊技に係る情報を遊技者に報知する報知装置として機能したりする。
【００２３】
次に、リールユニットＲＥの詳細について説明をする。図２に示すように、リールユニットＲＥは、リール本体２５と、リール本体２５に支持される第１ステッピングモータ〜第３ステッピングモータと、第１ステッピングモータ〜第３ステッピングモータにより回転する第１リールＲＥ１〜第３リールＲＥ３と、を有する。
【００２４】
第１リールＲＥ１〜第３リールＲＥ３は、第１ステッピングモータ〜第３ステッピングモータに軸支されている第１リールフレーム〜第３リールフレーム（不図示）と、可視光を透過する合成樹脂製で、それぞれ複数の図柄が印刷されている薄い帯状の第１リールテープＴ１〜第３リールテープＴ３と、を有する。第１リールフレーム〜第３リールフレームの各リールフレームは、第１ステッピングモータ〜第３ステッピングモータの回転軸と同心である円環状の１対のリム部と、左右方向に延設されて１対のリム部を複数箇所で互いに接続する接続部と、第１ステッピングモータ〜第３ステッピングモータの回転軸に取付けられるハブ部と、一方のリム部とハブ部とを接続して第１ステッピングモータ〜第３ステッピングモータの回転力をハブ部からリム部へ伝達するスポーク部と、を有して、合成樹脂により一体的に形成されている。第１リールテープＴ１は第１リールフレームの、第２リールテープＴ２は第２リールフレームの、第３リールテープＴ３は第３リールフレームの、それぞれの１対のリム部に対して、巻き掛けるように粘着材で着脱可能に貼り付けて固定されており、第１リールテープＴ１〜第３リールテープＴ３の各リールテープは、第１リールフレーム〜第３リールフレームの各リールフレームに固定されている状態において、それぞれ円筒状に形成されるように構成されている。
【００２５】
第１リールテープＴ１〜第３リールテープＴ３は、図柄の印刷に使用されている塗料や図柄の形状に応じて、可視光の透過率が低い遮光部（不図示）と、遮光部より可視光の透過率が高い透光部（不図示）と、を有している。遮光部は、例えば可視光の透過率が低いインクで印刷されて、図柄の一部を構成している。
【００２６】
また、リールユニットＲＥは、リール本体２５に固定されて第１リールテープＴ１〜第３リールテープＴ３を内部から前方へ向けて照明するバックライト基板（不図示）と、リール本体２５に固定されて第１リールテープＴ１〜第３リールテープＴ３とバックライト基板との間に配置されているバックライトリフレクタ（不図示）と、を有する。なお、バックライト基板はリール本体２５に直接固定されているものに限定されない。バックライト基板は、例えば、バックライトリフレクタに直接固定されて、リール本体２５に対して間接的に固定されていてもよい。
【００２７】
バックライト基板は、第１リールテープＴ１の内周面を後方から照明する第１バックライト基板、第２リールテープＴ２の内周面を後方から照明する第２バックライト基板、及び第３リールテープＴ３の内周面を後方から照明する第３バックライト基板からなる。第１バックライト基板〜第３バックライト基板は、円筒状に形成されている第１リールテープＴ１〜第３リールテープＴ３の内部の空間に表面が前方やや上向きとなるように起立して配置されている。第１バックライト基板〜第３バックライト基板は、発光源として、それぞれ各バックライト基板の表面の上部に設置されて、上段図柄を後方から照明する上段ＬＥＤ、各バックライト基板の表面の下部に設置されて、下段図柄を後方から照明する下段ＬＥＤ、及び各バックライト基板の表面の上段ＬＥＤと下段ＬＥＤとの間に設置されて、中段図柄を照明する中段ＬＥＤと、を有する。
【００２８】
バックライトリフレクタは、第１バックライト基板と第１リールテープＴ１の内周面との間の空間に、第１バックライト基板の表面に対向して配置されている第１リフレクタと、第２バックライト基板と第２リールテープＴ２の内周面との間の空間に第２バックライト基板の表面に対向して配置されている第２リフレクタと、第３バックライト基板と第３リールテープＴ３の内周面との間の空間に、第３バックライト基板の表面に対向して配置されている第３リフレクタと、からなる。第１リフレクタ〜第３リフレクタは、遮光性を有すると共に光を反射しやすい材料製、例えば白色の合成樹脂製で、それぞれ有底で前方が開放する箱状に形成されており、第１バックライト基板〜第３バックライト基板に対向する底板と、底板の周囲から前方に延出して前端が対応する第１リールテープＴ１〜第３リールテープＴ３のいずれかの内周面に近接する外壁と、を有している。底板には、上段ＬＥＤ〜下段ＬＥＤのそれぞれに対応する位置に配置され、上段ＬＥＤを露出させる上段開口、中段ＬＥＤを露出させる中段開口、及び下段ＬＥＤを露出させる下段開口が形成されている。
【００２９】
底板及び外壁は、上段ＬＥＤ〜下段ＬＥＤからの光を第１リールテープＴ１〜第３リールテープＴ３の内周面に案内する導光空間（不図示）を形成し、導光空間と周囲の空間とを仕切っている。また、第１リフレクタ〜第３リフレクタは、上段開口と中段開口との間、及び中段開口と下段開口との間の、それぞれに配置されて、導光空間を仕切る仕切り板を有している。導光空間は、仕切り板により、上段ＬＥＤからの光を第１リールテープＴ１〜第３リールテープＴ３の内周面に案内する上段導光空間、中段ＬＥＤからの光を第１リールテープＴ１〜第３リールテープＴ３の内周面に案内する中段導光空間、及び下段ＬＥＤからの光を第１リールテープＴ１〜第３リールテープＴ３の内周面に案内する下段導光空間に、仕切られている。バックライトリフレクタは、上述のように構成されて、バックライト基板に設置されている上段ＬＥＤ〜下段ＬＥＤからの光を反射して、上段導光空間〜下段導光空間により前方、即ち第１リールテープＴ１〜第３リールテープＴ３の内周面へ向けて上段ＬＥＤ〜下段ＬＥＤからの光を案内すると共に、上段導光空間と中段導光空間との間及び中段導光空間と下段導光空間との間における光漏れや、第１リフレクタと第２リフレクタとの間における光漏れ及び第２リフレクタと第３リフレクタとの間における光漏れ、リールユニットＲＥの外部への光漏れ等を低減するように構成されている。
【００３０】
次に、図３を参照して、マックスベットボタンユニットＭＢ及びストップボタンユニットＢ１〜ストップボタンユニットＢ３について説明をする。マックスベットボタンユニットＭＢは、押しボタン部９０と、摺動支持部９３と、付勢手段としてのボタンばね９４と、マックスベットスイッチとしてのスイッチ部９５と、を有している。
【００３１】
摺動支持部９３は、操作部６５（図１参照）に固定されており、押しボタン部９０を、押圧されていない状態である初期位置としての解除位置と押圧された押圧位置との間で、上下方向に摺動自在に支持している。ボタンばね９４は、押しボタン部９０を押圧方向である下方と逆の方向、即ち上方へ付勢している。スイッチ部９５は、透過型のフォトインタラプタであり、主制御基板３０に電気的に接続されるコネクタ９５ａと、発光部９５ｂと、図示しない受光部と、を有している。スイッチ部９５は、押しボタン部９０が押圧方向へ摺動して、押しボタン部９０の遮光部９１ａが発光部９５ｂからの光を遮光した際に、主制御基板３０へ検知信号を出力するように構成されている。押しボタン部９０は、遮光部９１ａを有するボタン本体９１と、ボタン本体９１に固定されてボタン本体９１の上部を覆う装飾部９２と、を備えており、遊技が行われる際に遊技者により押圧操作されて、スイッチ部９５に検知信号を出力させる。なお、以下の記載において、押しボタン部９０が解除位置から押圧方向へ摺動して、スイッチ部９５に検知信号を出力させない状態から検知信号を出力させる状態となる押しボタン部９０の位置を、動作位置とも記載する。マックスベットボタンユニットＭＢを押圧操作する際に遊技者の指が触れる面、即ち装飾部９２の操作面９２ａは、左右方向の大きさが大人の標準的な指の太さ２本分より十分に大きな値、例えば約４０ｍｍとなるように形成されて、遊技者により複数本の指で押圧操作されるように構成されている。
【００３２】
動作位置は、解除位置から押圧位置まで間のいずれかの位置となるように設定されている。仮に、解除位置と動作位置との距離が小さく設定されている場合、ボタンばね９４の経年劣化等による付勢力の低下や、埃等の挟み込み、振動、部品寸法のばらつき等により、遊技者の押圧操作によらず、押しボタン部９０がスイッチ部９５に検知信号を出力させてしまう虞がある。また、動作位置と押圧位置との距離が小さく設定されている場合、埃等の挟み込み、部品寸法のばらつき等により、遊技者が押圧操作を行っても、押しボタン部９０がスイッチ部９５に検知信号を出力させられない虞がある。このため、動作位置は、解除位置から、遊技者の押圧操作によらず押しボタン部９０がスイッチ部９５に検知信号を出力させる虞がある位置までの第１の範囲、及び遊技者が押圧操作を行っても押しボタン部９０がスイッチ部９５に検知信号を出力させられない虞がある位置から、押圧位置までの第２の範囲を除く動作位置設定可能範囲に位置するように設定されている。例えば、第１の範囲は、解除位置から押圧方向へ０．５ｍｍ離間する位置までの範囲、第２の範囲は押圧位置から押圧方向とは反対の方向へ０．５ｍｍ離間する位置までの範囲となっている。
【００３３】
また、解除位置と押圧位置との距離Ｌが大きい場合、動作位置設定可能範囲も大きくなり、動作位置を動作位置設定可能範囲内で自由に設定することができるが、一般に、解除位置と押圧位置との距離Ｌを大きく設定すると、操作性が低下して押圧操作により遊技者が疲労を感じる虞がある。また、設計段階で想定した動作位置と、製品を操作して実際に検知信号が出力される動作位置とは、部品寸法のばらつき等により、例えば、±０．２ｍｍの誤差が生じる。このため、解除位置と押圧位置との距離Ｌを、第１の範囲及び第２の範囲と比較して十分に大きく確保できない場合は、動作位置は、解除位置と押圧位置との中央位置に設定されていることが望ましい。
【００３４】
具体的には、本実施形態のマックスベットボタンユニットＭＢは、押しボタン部９０が、解除位置から押圧方向へ約１ｍｍ摺動した際に押しボタン部９０が動作位置に到達し、遮光部９１ａにより発光部９５ｂからの光を遮光し、解除位置から押圧方向へ約２ｍｍ摺動した際に押圧位置に到達して、押しボタン部９０が摺動支持部９３に形成されている規制面９３ａに当接して、更なる押圧方向への移動が規制されるように構成されている。
【００３５】
なお、ストップボタンユニットＢ１〜ストップボタンユニットＢ３の構成は、マックスベットボタンユニットＭＢの構成に対して、押圧方向が後方（押しボタン部９０の摺動する方向が前後方向）であること、装飾部９２の大きさ及び動作に必要な力が異なるのみで、他の構成はマックスベットボタンユニットＭＢと同様であるため、ストップボタンユニットＢ１〜ストップボタンユニットＢ３の構成についての説明を省略する。なお、ストップボタンユニットＢ１〜ストップボタンユニットＢ３の装飾部９２の操作面９２ａは、左右方向の大きさがマックスベットボタンユニットＭＢの装飾部９２の操作面９２ａより小さな値、例えば約３０ｍｍとなるように形成されてかつマックスベットボタンユニットＭＢの装飾部９２の操作面９２ａより小さな面積となるように形成されて、遊技者により１本の指で押圧操作されるように構成されている。
【００３６】
マックスベットボタンユニットＭＢ及びストップボタンユニットＢ１〜ストップボタンユニットＢ３は、上述のように構成されていることにより、ボタンばね９４の経年劣化や、埃等の挟み込み、振動、それぞれの部品寸法のばらつき等を許容して、遊技者の押圧によって確実にマックスベットスイッチやストップスイッチとしてのスイッチ部９５がオン動作、即ち検知信号を出力するように構成されている。
【００３７】
また、マックスベットボタンユニットＭＢの動作に必要な力、即ちボタンばね９４の付勢力に抗してマックスベットボタンユニットＭＢの押しボタン部９０を動作位置に保持する力は、ストップボタンユニットＢ１〜ストップボタンユニットＢ３の動作に必要な力、即ちボタンばね９４の付勢力に抗してストップボタンユニットＢ１〜ストップボタンユニットＢ３の押しボタン部９０を動作位置に保持する力より、大きい値となるように設定されている。具体的には、マックスベットボタンユニットＭＢの押しボタン部９０を動作位置に保持するには、マックスベットボタンユニットＭＢのボタンばね９４の付勢力に抗して、約１．０Ｎ（ニュートン）の力を要するように構成されている。また、ストップボタンユニットＢ１〜ストップボタンユニットＢ３の押しボタン部９０を動作位置に保持するには、ストップボタンユニットＢ１〜ストップボタンユニットＢ３のボタンばね９４の付勢力に抗して、約０．７Ｎ（ニュートン）の力を要するように構成されている。
【００３８】
これにより、遊技者が手の重さを利用して複数本の指で押圧可能なマックスベットボタンユニットＭＢの押しボタン部９０を押圧する際には、遊技者に対して適度に大きな操作力を要求し、マックスベットボタンユニットＭＢを操作したことを遊技者が認識しやすくすると共に、遊技者が手の重さを利用せずに１本の指で押圧するストップボタンユニットＢ１〜ストップボタンユニットＢ３の押しボタン部９０を押圧する際には、遊技者が比較的に軽い力で操作可能とし、遊技者の疲労を軽減するように構成されている。また、このように構成されている場合、特に遊技者が長時間遊技を行う際における疲労軽減効果が大きい。また、このように、本実施形態のスロットマシン１では、押圧操作されるボタンの装飾部９２の操作面９２ａの、左右方向の大きさや面積が大きいほど、ボタンの動作に必要な力が大きくなるように構成されている。
【００３９】
２．遊技機の制御構成
次に、スロットマシン１の制御構成を説明する。本実施形態のスロットマシン１は、それぞれ独立した基板である主制御基板３０と図示しない副制御基板とを有する。図４に示すように、主制御基板３０は、表面３０ａ（一方の面）及び裏面にプリント配線が形成されると共に、表面３０ａに複数の電子部品やコネクタＣＮ１〜コネクタＣＮ５が取付けられている略矩形のプリント配線板である。
【００４０】
主制御基板３０の表面３０ａに取付けられている電子部品には、集積回路を有して平板状に形成されているプロセッサとしてのマイクロコンピュータＭＣと、集積回路を有して平板状に形成されている複数のＩＣチップＩＣ１〜ＩＣチップＩＣ６と、複数の抵抗器Ｒ１〜抵抗器Ｒ１１と、複数のコンデンサＣ１〜コンデンサＣ６と、が含まれる。マイクロコンピュータＭＣは、ＣＰＵ（Ｃｅｎｔｒａｌ  Ｐｒｏｃｅｓｓｉｎｇ  Ｕｎｉｔ）、ＲＡＭ、ＲＯＭ、及びＩ／Ｏポートなどを備え、ＣＰＵがＲＯＭに記憶された所定のプログラムを実行することにより、遊技を実行するための各種の演算が行われる。ＩＣチップＩＣ１〜ＩＣチップＩＣ６は、リールユニットＲＥやホッパーユニット２０（それぞれ図２参照）を制御するドライバや、電断時に信号を出力する電断監視ＩＣ、マイクロコンピュータＭＣが入出力を行う際のバッファ等として機能している。
【００４１】
主制御基板３０の表面３０ａに取付けられているコネクタＣＮ１〜コネクタＣＮ５は、メダルの投入を検知するメダル投入スイッチ（不図示）や、シングルベットボタンＢＴ、マックスベットボタンユニットＭＢ、スタートレバーＳＬ、ストップボタンユニットＢ１〜ストップボタンユニットＢ３（それぞれ図１参照）等に設けられている各スイッチ等の入力手段と、リールユニットＲＥ、ホッパーユニット２０（それぞれ図２参照）等の出力手段と、にワイヤハーネス（不図示）を介して電気的に接続されている。
【００４２】
主制御基板３０は、表面３０ａに取付けられている上述した電子部品や図示しない他の電子部品と共に樹脂ケース２９（図２参照）に封入されており、下辺３０ｂが左右方向と略一致するように、表面３０ａを前方に向けて配置されている。樹脂ケース２９は、透光性の合成樹脂等により形成されており、主制御基板３０を封入した状態で筐体１０（図２参照）に固着されている。樹脂ケース２９は、主制御基板３０に取付けられているコネクタＣＮ１〜コネクタＣＮ５や、コネクタＣＮ１〜コネクタＣＮ５に接続されるワイヤハーネスを挿通させる開口（不図示）を有している。これにより、主制御基板３０は、樹脂ケース２９に封入されている状態で、各部と電気的に接続可能に構成されている。また、樹脂ケース２９は、樹脂ケース２９を破壊することによって、筐体１０からの主制御基板３０の取外しや、樹脂ケース２９からの主制御基板３０の取出しが可能となるように構成されている。このように構成されて、樹脂ケース２９は、主制御基板３０や主制御基板３０に取付けられている電子部品に対する不正な改造の防止を図っている。主制御基板３０及び主制御基板３０の表面３０ａに取付けられている電子部品は、コネクタＣＮ１〜コネクタＣＮ５を介して各入力手段から入力信号を受けて、遊技を実行するための各種の演算を行い、演算結果に基づいて各出力手段の動作を制御する。
【００４３】
副制御基板は、表面、裏面及び内部層にプリント配線が形成されると共に、表面に複数の電子部品及びコネクタが、裏面に複数の電子部品が取付けられている多層のプリント配線板である。副制御基板の表面及び裏面に取付けられている電子部品には、ＲＡＭ、ＲＯＭ、ＣＰＵ、その他の複数のＩＣチップ、複数の抵抗器、複数のコンデンサが含まれる。
【００４４】
副制御基板の表面に取付けられているコネクタは、主制御基板３０と、演出ボタンＳＢと、音響装置、電飾装置７５，７６Ｌ，７６Ｒ，７７，７８、可動役物７１、及び表示装置５２等の演出装置（それぞれ図１参照）と、に図示しないワイヤハーネスを介して電気的に接続されている。副制御基板及び副制御基板の表面に取付けられている電子部品は、副制御基板の表面に取付けられているコネクタを介して演出ボタンＳＢ及び主制御基板３０から入力信号を受けて、遊技を盛り上げる演出を実行するための各種の演算を行い、演算結果に基づいて演出装置の動作を制御する。なお、主制御基板３０及び副制御基板は、主制御基板３０から副制御基板への単方向通信のみを可能に構成され、副制御基板から主制御基板３０へ信号を入力することができないように構成されている。
【００４５】
３．主制御基板及び主制御基板に取付けられる部品の詳細
以下、図４を参照して、主制御基板３０や、主制御基板３０に取付けられる電子部品及びコネクタＣＮ１〜コネクタＣＮ５の詳細について説明をする。コネクタＣＮ１〜コネクタＣＮ５は、主制御基板３０の表面３０ａに対し、主制御基板３０の下辺３０ｂに沿って、左右方向に並べて取付けられている。なお、本実施の形態において、主制御基板３０の表面３０ａには、複数のコネクタＣＮ１〜コネクタＣＮ５が取付けられているが、これに限定されず、取付けられるコネクタは１つであってもよい。
【００４６】
マイクロコンピュータＭＣ及びＩＣチップＩＣ１〜ＩＣチップＩＣ６は、正面視において略矩形の平板状に形成された本体部３４と、本体部３４の上辺及び下辺のそれぞれに２列に並べて配置され、後方へ向けて延出する複数のリード３２と、を有するＤＩＰ（Ｄｕａｌ  Ｉｎ−ｌｉｎｅ  Ｐａｃｋａｇｅ）型の電子部品である。複数のリード３２は、主制御基板３０に形成されている複数の貫通孔（不図示）にそれぞれ挿入されて、主制御基板３０に取付けられている状態における本体部３４の表面３４ａが主制御基板３０の表面３０ａと平行となるように取付けられて、はんだにより主制御基板３０に固定されている。マイクロコンピュータＭＣ及びＩＣチップＩＣ１〜ＩＣチップＩＣ６は、本体部３４の表面３４ａに、文字列（例えば文字列「ＨＤＨＴ１２０４−Ａ」）からなる管理番号３３（文字識別表示）が印刷されている。なお、マイクロコンピュータＭＣ及びＩＣチップＩＣ１〜ＩＣチップＩＣ６は、本実施形態における文字付き電子部品を構成する。マイクロコンピュータＭＣ及びＩＣチップＩＣ１〜ＩＣチップＩＣ６は、作業者が管理番号３３を読取ることにより、製品の種類や仕様が識別される。なお、ＩＣチップＩＣ１及びＩＣチップＩＣ２、ＩＣチップＩＣ３及びＩＣチップＩＣ４、並びにＩＣチップＩＣ５及びＩＣチップＩＣ６は、それぞれ同一の管理番号３３を有する同一種類のＩＣチップであるように構成されている。
【００４７】
また、本実施形態において「文字列」とは、上述した例に示す通り数字のみに限定されず、英字、仮名、漢字等の文字や記号等を含む。即ち、管理番号３３は数字のみから構成されているものに限定されず、管理番号３３は読取る向きを特定可能な文字、数字及び記号（具体的には「￥」、「＠」、「＆」等）を少なくとも一部に含んで、管理番号３３全体として読取る向きを特定可能に構成されていればよい。例えば、管理番号３３は、数字を含まずに英字、仮名、漢字等の文字のみから構成されていてもよいし、読取る向きを特定できない文字や記号（具体的には「＝」、「−」、「Ｉ」等）を一部に含んでいてもよいし、文字、数字及び記号等の１字であってもよい。
【００４８】
また、マイクロコンピュータＭＣ及びＩＣチップＩＣ１〜ＩＣチップＩＣ６は、それぞれの管理番号３３の文字列が同じ向きとなるように、マイクロコンピュータＭＣ及びＩＣチップＩＣ１〜ＩＣチップＩＣ６が主制御基板３０の表面３０ａに取付けられている。具体的には、マイクロコンピュータＭＣ及びＩＣチップＩＣ１〜ＩＣチップＩＣ６は、主制御基板３０を封入する樹脂ケース２９（図２参照）が筐体１０に取付けられている状態で、マイクロコンピュータＭＣ及びＩＣチップＩＣ１〜ＩＣチップＩＣ６の管理番号３３の文字列が、全て正面視で正方向となるように、主制御基板３０の表面３０ａに取付けられている。これにより、本実施形態のスロットマシン１は、主制御基板３０を封入する樹脂ケース２９が筐体１０に取付けられている状態で、作業者がマイクロコンピュータＭＣ及びＩＣチップＩＣ１〜ＩＣチップＩＣ６の管理番号３３を容易に目視可能となるように構成されている。
【００４９】
また、マイクロコンピュータＭＣ及びＩＣチップＩＣ１〜ＩＣチップＩＣ４は、本体部３４に非対称性を有する切欠部３５（目印）を有している。具体的には、マイクロコンピュータＭＣ及びＩＣチップＩＣ１〜ＩＣチップＩＣ４は、正面視で本体部３４の左辺の一部を半円状に切欠くように形成されている切欠部３５を有している。このように構成されて、切欠部３５は、主制御基板３０に取付けられているマイクロコンピュータＭＣ及びＩＣチップＩＣ１〜ＩＣチップＩＣ４の向きを作業者が判別可能に構成されている。
【００５０】
また、マイクロコンピュータＭＣ及びＩＣチップＩＣ１〜ＩＣチップＩＣ４のそれぞれが有するｎ本のリード３２には、１番リード３２ａからｎ番リードまで順番に番号が与えられており、切欠部３５と１番リード３２ａとの位置関係が予め定められている。具体的には、マイクロコンピュータＭＣ及びＩＣチップＩＣ１〜ＩＣチップＩＣ４は、本体部３４の左辺側に切欠部３５が配置されている状態において、下辺の左端に１番リード３２ａが位置するように構成されている。１番リード３２ａから右方へ２番リード、３番リード、と番号が与えられ、下辺の右端のリード３２から上辺の右端のリード３２、上辺の右端のリード３２から上辺の左端のリード３２へ、順番にｎ番リードまで番号が与えられている。このように、マイクロコンピュータＭＣ及びＩＣチップＩＣ１〜ＩＣチップＩＣ４は、切欠部３５によって、複数のリード３２のうちから１番リード３２ａを作業者が識別可能に構成されている。なお、マイクロコンピュータＭＣ及びＩＣチップＩＣ１〜ＩＣチップＩＣ４は、全て本体部３４の左辺側に切欠部３５が配置されているので、１番リード３２ａは全て下辺の左端に配置されている。
【００５１】
また、ＩＣチップＩＣ５及びＩＣチップＩＣ６は、本体部３４に非対称性を有するリード識別部３６（目印）を有している。具体的には、ＩＣチップＩＣ５及びＩＣチップＩＣ６は、本体部３４の表面３４ａにおいて１番リード３２ａの近傍に形成されている円形の凹みであるリード識別部３６を有している。リード識別部３６は、ＩＣチップＩＣ５及びＩＣチップＩＣ６の複数のリード３２のうちから１番リード３２ａを作業者が識別可能に構成されていると共に、主制御基板３０に取付けられているＩＣチップＩＣ５及びＩＣチップＩＣ６の向きを作業者が判別可能に構成されている。なお、ＩＣチップＩＣ５及びＩＣチップＩＣ６は、１番リード３２ａが下辺の左端に配置されている。このように、本実施形態のスロットマシン１は、切欠部３５やリード識別部３６が同じ向きとなるように、マイクロコンピュータＭＣ及びＩＣチップＩＣ１〜ＩＣチップＩＣ６が主制御基板３０に取付けられており、作業者がマイクロコンピュータＭＣ及びＩＣチップＩＣ１〜ＩＣチップＩＣ６の取付け方向や１番リード３２ａの位置を容易に目視可能となるように構成されている。
【００５２】
抵抗器Ｒ１〜抵抗器Ｒ１１及びコンデンサＣ１〜コンデンサＣ６は、円筒状の円筒部３８と、円筒部３８の軸方向の両端に突出するリード３７と、を有する円筒型の抵抗器及びコンデンサであり、両端のリード３７が、それぞれ主制御基板３０に形成されている２箇所の貫通孔に挿入されて、はんだにより主制御基板３０に固定されている。抵抗器Ｒ１〜抵抗器Ｒ１１及びコンデンサＣ１〜コンデンサＣ６は、それぞれ、方向性を有して抵抗器及びコンデンサの仕様を表示するカラーコード３９（方向性識別表示、識別表示）を有する。なお、抵抗器Ｒ１〜抵抗器Ｒ１１及びコンデンサＣ１〜コンデンサＣ６は、本実施形態における方向性表示付き電子部品（識別表示付き電子部品）を構成している。カラーコード３９は、抵抗器Ｒ１〜抵抗器Ｒ１１及びコンデンサＣ１〜コンデンサＣ６の円筒部３８の外周面に、円筒部３８の軸方向と交差する面に沿って形成されている複数の帯からなり、これら帯の色の違いにより、抵抗器Ｒ１〜抵抗器Ｒ１１においては抵抗値とその精度、コンデンサＣ１〜コンデンサＣ６においては静電容量とその精度を表示している。
【００５３】
抵抗器Ｒ１〜抵抗器Ｒ１１及びコンデンサＣ１〜コンデンサＣ６は、両端のリード３７がそれぞれ主制御基板３０に形成されている２箇所の貫通孔のいずれに挿入されても機能上の影響が無いように構成されている。即ち、抵抗器Ｒ１〜抵抗器Ｒ１１及びコンデンサＣ１〜コンデンサＣ６は、機能上の方向性は有していないが、カラーコード３９により、視覚上の方向性を有している。このため、抵抗器Ｒ１〜抵抗器Ｒ１１及びコンデンサＣ１〜コンデンサＣ６のうち、互いに同一のカラーコード３９を有していながら、カラーコード３９が異なる向きとなるように主制御基板３０に取付けられている場合、機能上の問題は発生しないが、正しい抵抗器Ｒ１〜抵抗器Ｒ１１及びコンデンサＣ１〜コンデンサＣ６が取付けられているか否かを確認する際の作業性が低下する。例えば、作業者が互いに同一のカラーコード３９を有している電子部品を、互いに異なるカラーコード３９を有する電子部品であると誤認する虞がある。
【００５４】
このため、本実施形態におけるスロットマシン１は、同一のカラーコード３９を有する抵抗器Ｒ１〜抵抗器Ｒ１１及びコンデンサＣ１〜コンデンサＣ６は、カラーコード３９の向きが同じ向きとなるように主制御基板３０の表面３０ａに取付けられている。具体的には、抵抗器Ｒ１及び抵抗器Ｒ１１、抵抗器Ｒ２〜抵抗器Ｒ７、抵抗器Ｒ８〜抵抗器Ｒ１０、コンデンサＣ１〜コンデンサＣ４、並びにコンデンサＣ５〜コンデンサＣ６は、それぞれ同一のカラーコード３９を有しており、互いにカラーコード３９の向きが同じ向きとなるように取付けられている。また、全ての抵抗器Ｒ１〜抵抗器Ｒ１１及びコンデンサＣ１〜コンデンサＣ６は、円筒部３８の軸方向が同じ向きとなるように主制御基板３０の表面３０ａに取付けられている。これにより、本実施形態におけるスロットマシン１は、カラーコード３９の視認性を向上し、作業者が主制御基板３０に正しい抵抗器Ｒ１〜抵抗器Ｒ１１及びコンデンサＣ１〜コンデンサＣ６が取付けられているか否かを確認する際における誤認の可能性を低減している。
【００５５】
主制御基板３０は、表面３０ａに、主制御基板３０の仕様毎に固有の文字列（例えば文字列「ＡＢＣＤ０１−０１」）からなる基板管理番号３０ｈが印刷されており、基板管理番号３０ｈにより作業者に主制御基板３０を識別させている。また、主制御基板３０は、表面３０ａに、取付けられる電子部品がＣＰＵを有するマイクロコンピュータＭＣであることを表示する文字列「ＣＰＵ」からなるＣＰＵ識別表示３０ｃ、取付けられる電子部品がＩＣチップＩＣ１〜ＩＣチップＩＣ６のいずれであるかを表示する文字列「ＩＣ１」〜文字列「ＩＣ６」からなるＩＣ識別表示３０ｆ、取付けられる電子部品が抵抗器Ｒ１〜抵抗器Ｒ１１のいずれであるかを表示する文字列「Ｒ１」〜文字列「Ｒ１１」からなる抵抗器識別表示３０ｉ、取付けられる電子部品がコンデンサＣ１〜コンデンサＣ６のいずれであるかを表示する文字列「Ｃ１」〜文字列「Ｃ６」からなるコンデンサ識別表示３０ｊ、及び取付けられるコネクタがコネクタＣＮ１〜コネクタＣＮ５のいずれであるかを表示する文字列「ＣＮ１」〜文字列「ＣＮ５」からなるコネクタ識別表示３０ｋが、印刷されている。
【００５６】
ＣＰＵ識別表示３０ｃ、ＩＣ識別表示３０ｆ、抵抗器識別表示３０ｉ、コンデンサ識別表示３０ｊ、及びコネクタ識別表示３０ｋは、それぞれマイクロコンピュータＭＣ、ＩＣチップＩＣ１〜ＩＣチップＩＣ６、抵抗器Ｒ１〜抵抗器Ｒ１１、コンデンサＣ１〜コンデンサＣ６、及びコネクタＣＮ１〜コネクタＣＮ５の、対応する部品の近傍に配置されている。また、基板管理番号３０ｈ、ＣＰＵ識別表示３０ｃ、ＩＣ識別表示３０ｆ、抵抗器識別表示３０ｉ、コンデンサ識別表示３０ｊ、及びコネクタ識別表示３０ｋの文字列は、各部品が主制御基板３０に取付けられている状態において正面視でそれぞれの文字列が読取り可能な位置に配置されている。望ましくは、基板管理番号３０ｈ、ＣＰＵ識別表示３０ｃ、ＩＣ識別表示３０ｆ、抵抗器識別表示３０ｉ、コンデンサ識別表示３０ｊ、及びコネクタ識別表示３０ｋは、主制御基板３０に取付けられている各部品と正面視で重ならない位置に配置されている。
【００５７】
また、基板管理番号３０ｈ、ＣＰＵ識別表示３０ｃ、ＩＣ識別表示３０ｆ、抵抗器識別表示３０ｉ、コンデンサ識別表示３０ｊ、及びコネクタ識別表示３０ｋの文字列は、同じ向きとなるように、表面３０ａに配置されている。具体的には、主制御基板３０を封入する樹脂ケース２９（図２参照）が筐体１０に取付けられている状態で、基板管理番号３０ｈ、ＣＰＵ識別表示３０ｃ、ＩＣ識別表示３０ｆ、抵抗器識別表示３０ｉ、コンデンサ識別表示３０ｊ、及びコネクタ識別表示３０ｋの文字列が、全て正面視で正方向となるように、主制御基板３０の表面３０ａにそれぞれ配置されている。即ち、マイクロコンピュータＭＣ及びＩＣチップＩＣ１〜ＩＣチップＩＣ６に印刷されている管理番号３３や、主制御基板３０の表面３０ａに印刷されている文字列は、全て正面視で正方向となるように配置されている。これにより、本実施形態におけるスロットマシン１は、主制御基板３０の表面３０ａに記載されている文字列の内容を作業者が容易に視認可能となるように構成されていると共に、主制御基板３０の表面３０ａに記載されている文字列と、主制御基板３０に取付けられている部品、電子部品の管理番号３３及びカラーコード３９と、を作業者が容易に比較可能となるように構成されている。
【００５８】
また、主制御基板３０は、表面３０ａ上の、マイクロコンピュータＭＣ及びＩＣチップＩＣ１〜ＩＣチップＩＣ６の取付け位置の近傍に、マイクロコンピュータＭＣ及びＩＣチップＩＣ１〜ＩＣチップＩＣ６の取付け方向を案内する、切欠き部案内表示３０ｄ（案内表示）及びリード識別部案内表示３０ｇ（案内表示）が印刷されている。具体的には、切欠き部案内表示３０ｄは、主制御基板３０にマイクロコンピュータＭＣ及びＩＣチップＩＣ１〜ＩＣチップＩＣ４が取付けられている状態の切欠部３５の近傍に印刷されている、切欠部３５の半円に対応する半円弧の線からなる表示である。また、具体的には、リード識別部案内表示３０ｇは、ＩＣチップＩＣ５及びＩＣチップＩＣ６の１番リード３２ａが挿入される主制御基板３０の貫通孔の近傍に印刷されている三角形からなる表示である。
【００５９】
また、切欠き部案内表示３０ｄ及びリード識別部案内表示３０ｇは、各部品が主制御基板３０に取付けられている状態において正面視で少なくとも一部が視認可能な位置に配置されている。望ましくは、切欠き部案内表示３０ｄ及びリード識別部案内表示３０ｇは、主制御基板３０に取付けられている各部品と正面視で重ならない位置に配置されている。これにより、切欠き部案内表示３０ｄ及びリード識別部案内表示３０ｇは、作業者が主制御基板３０にマイクロコンピュータＭＣ及びＩＣチップＩＣ１〜ＩＣチップＩＣ６を取付ける際、マイクロコンピュータＭＣ及びＩＣチップＩＣ１〜ＩＣチップＩＣ４の切欠部３５及びＩＣチップＩＣ５及びＩＣチップＩＣ６のリード識別部３６に対応して、マイクロコンピュータＭＣ及びＩＣチップＩＣ１〜ＩＣチップＩＣ６の取付け方向を案内している。また、切欠き部案内表示３０ｄ及びリード識別部案内表示３０ｇは、マイクロコンピュータＭＣ及びＩＣチップＩＣ１〜ＩＣチップＩＣ６が主制御基板３０に取付けられている方向が正しいか否かを作業者が容易に確認可能となるように構成されている。
【００６０】
また、主制御基板３０上には、複数の電子部品の集合部分である部品集合部を有している。部品集合部は、同一の又は類似する機能を有する電子部品の集合部分や、同一の又は類似する外観を有する電子部品の集合部分、互いに関連する機能を有する電子部品の集合部分、複数の電子部品により特定の機能を実現する電子部品の集合部分等であり、複数の電子部品が隣接して纏まるように配置されて構成されている。本実施形態におけるスロットマシン１においては、主制御基板３０上には、部品集合部として、ＩＣチップＩＣ１〜ＩＣチップＩＣ６及びコンデンサＣ１〜コンデンサＣ６が集合している第１集合部と、抵抗器Ｒ２〜抵抗器Ｒ１０が集合している第２集合部と、コネクタＣＮ１〜コネクタＣＮ５が集合している第３集合部と、を有している。これにより、本実施形態におけるスロットマシン１は、主制御基板３０に取付けられている、類似する部品や関連する機能を有する部品等の視認性を向上している。なお、本実施形態において、同一の部品集合部に含まれる任意の２つの電子部品の間には、当該部品集合部に含まれない電子部品は配置されないように構成されている。
【００６１】
４．本実施形態のまとめ
以上のように、本実施形態のスロットマシン１は、文字列からなる管理番号３３を有するマイクロコンピュータＭＣ及びＩＣチップＩＣ１〜ＩＣチップＩＣ６が、管理番号３３の文字列が同じ向きとなるように主制御基板３０に取付けられているので、作業者は、管理番号３３によりマイクロコンピュータＭＣ及びＩＣチップＩＣ１〜ＩＣチップＩＣ６を目視で容易に識別することができ、主制御基板３０や、主制御基板３０に取付けられている電子部品の検査時、例えば、スロットマシン１の製造ラインにおける動作検査時、国家公安委員会の指定試験機関である保安通信協会（保通協）の型式試験での検査時、警察等による遊技場への立入検査時、スロットマシン１が故障した際の故障部位を特定する検査時等における作業性の向上を図ることができる。
【００６２】
また、本実施形態のスロットマシン１は、主制御基板３０の表面３０ａ上の、マイクロコンピュータＭＣ及びＩＣチップＩＣ１〜ＩＣチップＩＣ６の取付け位置のそれぞれの近傍に、マイクロコンピュータＭＣ及びＩＣチップＩＣ１〜ＩＣチップＩＣ６の取付け方向を案内する切欠き部案内表示３０ｄ及びリード識別部案内表示３０ｇを有している。これにより、作業者は、主制御基板３０にマイクロコンピュータＭＣ及びＩＣチップＩＣ１〜ＩＣチップＩＣ６が正しい方向に取付けられているか否かを目視で容易に確認することができ、主制御基板３０や、主制御基板３０に取付けられている電子部品の検査時における作業性の向上を図ることができる。
【００６３】
また、本実施形態のスロットマシン１は、カラーコード３９を有する抵抗器Ｒ１〜抵抗器Ｒ１１及びコンデンサＣ１〜コンデンサＣ６のうち、同一のカラーコード３９を有する電子部品が、カラーコード３９が同じ向きとなるように主制御基板３０に取付けられているので、作業者によるカラーコード３９の誤認の可能性を低減し、主制御基板３０や、主制御基板３０に取付けられている電子部品の検査時における作業性の向上を図ることができる。
【００６４】
５．変形例
なお、本実施形態において、スロットマシン１は、文字識別表示を有する文字付き電子部品として、管理番号３３が印刷されているマイクロコンピュータＭＣ及びＩＣチップＩＣ１〜ＩＣチップＩＣ６を有して構成されているが、これに限定されない。文字付き電子部品は、文字列からなる文字識別表示を有して文字識別表示により識別される電子部品であればよく、例えば、スロットマシン１は、文字付き電子部品として、文字識別表示としての管理番号が印刷されたＲＯＭやＲＡＭ等を含む多様なＩＣチップ、抵抗器、コンデンサ、ダイオード、トランジスタ、リレー、ヒューズ等を有して構成されていてもよいし、文字付き電子部品としての多様な電子部品を有して構成されていてもよい。また、文字識別表示は電子部品の管理番号に限定されない。文字識別表示は電子部品の特性を示す表示でもよく、例えば、抵抗値、静電容量、定格電圧、定格電流、電圧や電流の制限値、電子部品の機能等を示す表示でもよいし、製造時期、製造者名、生産地名等を示す表示でもよい。
【００６５】
また、本実施形態において、スロットマシン１は、主制御基板３０の表面３０ａに取付けられている管理番号３３を有する電子部品が、管理番号３３の文字列が全て正面視で正方向となるように主制御基板３０に取付けられているが、これに限定されない。スロットマシン１は、主制御基板３０の一方の面である表面３０ａに取付けられた管理番号を有する電子部品のうち、主制御基板３０の面と管理番号を有する面とが平行となるように取付けられているものについて、管理番号の文字列が同じ向きとなるように主制御基板３０に取付けられていればよい。例えば、スロットマシン１は、主制御基板３０の表面３０ａに取付けられている管理番号３３を有する電子部品が、管理番号３３の文字列が全て正面視で上下逆方向となるように主制御基板３０に取付けられていてもよいし、管理番号３３の文字列の向きがいずれかの方向に統一されていればよい。また、例えば、主制御基板３０の表面３０ａに取付けられてはいるが、表面３０ａと管理番号を有する面とが平行となるように取付けられてはいない電子部品や、主制御基板３０の他方の面である裏面に取付けられた電子部品等については、管理番号の文字列が異なる向きとなるように主制御基板３０に取付けられていてもよい。主制御基板３０の表面３０ａに取付けられてはいるが、表面３０ａと管理番号を有する面とが平行となるように取付けられてはいない電子部品としては、具体的には、ＳＩＰ（Ｓｉｎｇｌｅ  Ｉｎ−ｌｉｎｅ  Ｐａｃｋａｇｅ）型のＩＣチップや、円筒型に形成されて円筒面に管理番号を有しているコンデンサ等がある。
【００６６】
また、主制御基板３０の面と管理番号を有する面とが平行となるように取付けられている、とは、互いの面が厳密に平行であるものに限定されず、主制御基板３０の表面３０ａの垂直方向視において、主制御基板３０の面と管理番号を有する面とが平行であると作業者が認識する程度に、平行に近い角度となるように取付けられていればよい。
【００６７】
また、本実施形態において、スロットマシン１は、非対称性を有する目印として、マイクロコンピュータＭＣ及びＩＣチップＩＣ１〜ＩＣチップＩＣ４を半円状に切欠くように形成されている切欠部３５や、ＩＣチップＩＣ５及びＩＣチップＩＣ６の円形の凹みであるリード識別部３６を有して構成されているが、これに限定されない。目印は、電子部品の向きの判別や１番リード３２ａの識別が可能な程度に非対称性を有するものであればよく、例えば、スロットマシン１は、目印として、マイクロコンピュータＭＣ及びＩＣチップＩＣ１〜ＩＣチップＩＣ６の本体部３４の角の一部が面取りされている面取り形状を有して構成されていてもよいし、目印として、本体部３４の表面３４ａ上の１番リード３２ａの近傍に印刷されている記号や文字等を有して構成されていてもよい。また、スロットマシン１は、目印を有する文字付き電子部品として、マイクロコンピュータＭＣ及びＩＣチップＩＣ１〜ＩＣチップＩＣ６以外の電子部品、例えば、抵抗器、コンデンサ、ダイオード、トランジスタ、リレー、ヒューズ等を有して構成されていてもよい。
【００６８】
また、本実施形態において、スロットマシン１は、方向性を有する方向性識別表示として、抵抗器Ｒ１〜抵抗器Ｒ１１及びコンデンサＣ１〜コンデンサＣ６のカラーコード３９を有して構成されているが、これに限定されない。方向性識別表示は、方向性を有して電子部品を識別可能とするものであればよく、例えば、抵抗器、コンデンサ、ダイオード、トランジスタ、リレー、ヒューズ等に印刷されて部品を識別可能とする管理番号が、本実施形態における方向性識別表示を構成してもよいし、マイクロコンピュータＭＣ、ＩＣチップＩＣ１〜ＩＣチップＩＣ６等に印刷されて方向性を有する管理番号３３が、本実施形態における方向性識別表示を構成してもよいし、マイクロコンピュータＭＣ及びＩＣチップＩＣ１〜ＩＣチップＩＣ４を半円状に切欠くように形成されている切欠部３５や、ＩＣチップＩＣ５及びＩＣチップＩＣ６が有する円形の凹みであるリード識別部３６が、本実施形態における方向性識別表示を構成してもよいし、他の多様な形態が考えられる。
【００６９】
また、本実施形態において、スロットマシン１は、マイクロコンピュータＭＣ及びＩＣチップＩＣ１〜ＩＣチップＩＣ６に印刷されている文字識別表示としての管理番号３３や、主制御基板３０の表面３０ａに印刷されている文字列が、全て同じ向きとなるように配置されているが、これに限定されない。スロットマシン１は、主制御基板３０の表面３０ａに印刷されている複数の文字列のうち一部が、他の文字列の向きとは異なる例外的な向きとなるように配置されていてもよいし、文字列を有する複数の電子部品のうち一部の電子部品が他の電子部品とは文字列の向きが異なるように配置されていてもよい。また、マイクロコンピュータＭＣ及びＩＣチップＩＣ１〜ＩＣチップＩＣ６は、文字列からなる文字識別表示以外の表示を有するように構成されていてもよいし、１つの電子部品の中に向きが異なる複数の文字列が印刷されており、そのうちの一部の文字列の向きが他の電子部品の文字列や主制御基板３０の表面３０ａに印刷されている文字列と同じ向きとなるように配置されていてもよい。
【００７０】
また、本実施形態において、スロットマシン１は、抵抗器Ｒ１〜抵抗器Ｒ１１及びコンデンサＣ１〜コンデンサＣ６が、円筒部３８の軸方向が全て同じ向きとなるように主制御基板３０の表面３０ａに取付けられているように構成されているが、これに限定されない。スロットマシン１は、一方の面に取付けられた複数の方向性表示付き電子部品のうち、同一の方向性識別表示を有する方向性表示付き電子部品が、方向性識別表示が同じ向きとなるように基板に取付けられているように構成されていればよく、例えば、異なるカラーコード３９を有する抵抗器Ｒ１及び抵抗器Ｒ１１と、抵抗器Ｒ２〜抵抗器Ｒ７と、は、円筒部３８の軸方向が異なる向きとなるように主制御基板３０の表面３０ａに取付けられているように構成されていてもよい。また、例えば、表面３０ａに取付けられている抵抗器Ｒ１と同じカラーコードを有する他の抵抗器が主制御基板３０の裏面に取付けられている場合、これらの抵抗器は異なる向きに取付けられているように構成されていてもよい。
【００７１】
また、本実施形態において、スロットマシン１は、主制御基板３０の表面３０ａに取付けられた複数の方向性表示付き電子部品のうち、同一の方向性識別表示を有する全ての方向性表示付き電子部品が、方向性識別表示が同じ向きとなるように主制御基板３０に取付けられているように構成されているが、これに限定されない。スロットマシン１は、例えば、同一の部品集合部に含まれる電子部品のうち、同一の方向性識別表示を有する方向性表示付き電子部品が、方向性識別表示が同じ向きとなるように主制御基板３０に取付けられていればよい。具体的には、第１集合部に含まれる電子部品のうち、コンデンサＣ１〜コンデンサＣ４は、方向性を有する方向性識別表示としてのカラーコード３９が同一であり、コンデンサＣ５及びコンデンサＣ６は、カラーコード３９が同一であり、ＩＣチップＩＣ１及びＩＣチップＩＣ２は、方向性を有する方向性識別表示としての管理番号３３が同一であり、ＩＣチップＩＣ３及びＩＣチップＩＣ４は、管理番号３３が同一であり、ＩＣチップＩＣ５及びＩＣチップＩＣ６は、管理番号３３が同一である。すなわち、第１集合部において、コンデンサＣ１〜コンデンサＣ４、コンデンサＣ５及びコンデンサＣ６、ＩＣチップＩＣ１及びＩＣチップＩＣ２、ＩＣチップＩＣ３及びＩＣチップＩＣ４、ＩＣチップＩＣ５及びＩＣチップＩＣ６は、それぞれ方向性識別表示が同じ向きとなるように主制御基板３０に取付けられていればよい。また、具体的には、第２集合部に含まれる電子部品のうち、抵抗器Ｒ２〜抵抗器Ｒ７は、方向性を有する方向性識別表示としてのカラーコード３９が同一であり、抵抗器Ｒ８〜抵抗器Ｒ１０は、カラーコード３９が同一である。すなわち、第２集合部において、抵抗器Ｒ２〜抵抗器Ｒ７、抵抗器Ｒ８〜抵抗器Ｒ１０は、それぞれ方向性識別表示が同じ向きとなるように主制御基板３０に取付けられていればよい。このように構成されて、スロットマシン１は、主制御基板３０上に取付けられている、類似する部品や関連する機能を有する部品等の視認性を向上し、主制御基板３０や、主制御基板３０に取付けられている電子部品の検査時における作業性の向上を図ることができる。
【００７２】
また、本実施形態において、スロットマシン１は、電子部品が取付けられている基板として、遊技を実行するための各種の演算を行う主制御基板３０を例に説明をしたが、これに限定されない。電子部品が取付けられている基板は、ＬＥＤ等の発光源が取付けられている発光基板、電流や電気信号を中継する中継基板、遊技を盛り上げる演出を実行するための各種の演算を行う副制御基板、入力電力から必要とされる出力電力を生成する電源基板等でもよいし、基板には表面及び裏面に電子部品が取付けられていてもよい。
【００７３】
また、本実施形態において、スロットマシン１は、マックスベットボタンユニットＭＢの動作に必要な力が、ストップボタンユニットＢ１〜ストップボタンユニットＢ３の動作に必要な力より大きい値となるように構成されているが、これに限定されない。スロットマシン１は、例えば、マックスベットボタンユニットＭＢの動作に必要な力と、ストップボタンユニットＢ１〜ストップボタンユニットＢ３の動作に必要な力と、が同じ値、例えば、マックスベットボタンユニットＭＢの動作に必要な力と、ストップボタンユニットＢ１〜ストップボタンユニットＢ３の動作に必要な力と、が共に、１．０Ｎ及び０．７Ｎのいずれか一方の値となるように構成されていてもよい。このように、遊技を行う際に操作される複数種類のボタンの動作に必要な力が同じ値となるように構成された場合、遊技者に対して押下操作の際に違和感を与えることの防止を図ることができる。また、このように構成された場合、特に遊技者が短時間遊技を行う際において違和感を防止する効果が大きい。
【００７４】
また、スロットマシン１は、前後方向に押下操作可能な演出ボタンＳＢの動作に必要な力がマックスベットボタンユニットＭＢの動作に必要な力より大きい値、例えば５Ｎ（ニュートン）となるように構成されていてもよい。このように構成されている場合、演出ボタンＳＢを押圧操作する際に遊技者の指が触れる操作面は、左右方向の大きさ及び面積がいずれもマックスベットボタンユニットＭＢより大きくなるように構成されていることが望ましい。なお、本実施形態の演出ボタンＳＢの構成は、マックスベットボタンユニットＭＢの構成に対して、押圧方向が後方（押しボタン部の摺動する方向が前後方向）であることと、装飾部９２の大きさと、動作に必要な力と、解除位置から動作位置及び押圧位置へ到達するまでに摺動する長さと、が異なるのみで、他の構成はマックスベットボタンユニットＭＢと同様である。本実施形態の演出ボタンＳＢは、押しボタン部９０が、解除位置から押圧方向へ約５ｍｍ摺動した際に押しボタン部９０が動作位置に到達し、遮光部９１ａにより発光部９５ｂからの光を遮光し、解除位置から押圧方向へ約１０ｍｍ摺動した際に押圧位置に到達して、押しボタン部９０が摺動支持部９３に形成されている規制面９３ａに当接して、更なる押圧方向への移動が規制されるように構成されている。また、演出ボタンＳＢの押圧方向は後方であるように構成されているものに限定されない。演出ボタンＳＢの押圧方向は下方であるように構成されていてもよいし、前方であるように構成されていてもよいし、上述した方向以外の方向であるように構成されていてもよい。
【００７５】
また、本実施形態においては、遊技機の一例である、メダルを遊技媒体として用いた遊技を行うスロットマシンを例にして説明したが、本発明は、遊技球を遊技媒体として用いた遊技を行うスロットマシンや、入賞口への入球を抽選契機とした抽選が実行されるパチンコ機を含む弾球遊技機等の各種の遊技機に適用可能である。
【符号の説明】
【００７６】
１      スロットマシン（遊技機）
３０    主制御基板（基板）
３０ａ  表面（一方の面）
３０ｄ  切欠き部案内表示（案内表示）
３０ｇ  リード識別部案内表示（案内表示）
３３    管理番号（文字識別表示）
３４ａ  面
３５    切欠部（目印）
３６    リード識別部（目印）
３９    カラーコード（識別表示）
Ｃ１  〜Ｃ６    コンデンサ（電子部品、識別表示付き電子部品）
ＣＮ１〜ＣＮ５  コネクタ（電子部品）
ＩＣ１〜ＩＣ６  ＩＣチップ（電子部品、文字付き電子部品）
ＭＣ            マイクロコンピュータ（電子部品、文字付き電子部品）
Ｒ１  〜Ｒ１１  抵抗器（電子部品、識別表示付き電子部品）
【図１】
2020062451.tif 000003
【図２】
2020062451.tif 000004
【図３】
2020062451.tif 000005
【図４】
2020062451.tif 000006